(57)【要約】【課題】電源ケーブルの筐体内部側電源線の温度上昇を低減する。【解決手段】被加熱物を収納する加熱室７と、前記加熱室に収納された被加熱物を加熱する加熱手段１２と、前記加熱室の裏板に設けた切欠き部９と、前記切欠き部９に係合させた電源ケーブル６とを備え、前記電源ケーブル６のブッシング部１０を前記加熱室の裏板８より外側に形成する構成としたことにより、筐体内部側の電源線１３がブッシング１０で覆われていないため、筐体内部が高周波加熱中に高温になっても放熱作用が妨害されることなく、電源線の温度上昇を低減することができる。  【選択図】図１
2009109164.tif 000002
【特許請求の範囲】
【請求項１】
被加熱物を収納する加熱室を備えた筐体と、前記加熱室に収納された被加熱物を加熱する加熱手段と、前記筐体の裏板に設けた切欠き部と、前記切欠き部に係合させた電源ケーブルとを備え、前記電源ケーブルのブッシング部を前記筐体の裏板より外側に形成する構成とした高周波加熱装置。
【請求項２】
被加熱物を収納する加熱室を備えた筐体と、前記加熱室に収納された被加熱物にマイクロ波を供給して加熱する高周波発生手段と、前記筐体の裏板に設けた切欠き部と、前記切欠き部に係合させた電源ケーブルと、前記電源ケーブルから前記高周波加熱手段までの電気経路に設けたノイズフィルターとを備え、前記電源ケーブルのブッシング部を前記筐体の裏板より外側に形成するとともに、前記ノイズフィルターを前記切欠き部の近くに配置して前記電源ケーブルのブッシング部から露出する電源線を前記ノイズフィルターに接続した高周波加熱装置。
【請求項３】
ブッシング部は、筐体の裏板に設けられた絞り部の高さよりも小さい構成とした請求項１または２に記載の高周波加熱装置。
【請求項４】
ブッシング部は、端部に前記筐体の裏板に設けた切欠き部と係合するスリット部を有し、裏板の切欠き部は前記ブッシング部と係合する突起状のツメ部を有する構成とした請求項１〜３のいずれか１項記載の高周波加熱装置。
【発明の詳細な説明】
【技術分野】
【０００１】
本発明は食品を加熱する高周波加熱装置に関するものである。
【背景技術】
【０００２】
従来、この種の高周波加熱装置は加熱室裏板の切欠き部に電源ケーブルのブッシング部を係合させて取り付けられている。電源ケーブルのブッシング部は、屈曲力などの応力によって内部の電源線が破損するのを防ぐとともに、高周波加熱装置内側への押し込み力や、外側への引っ張り力などの応力により電源ケーブルが位置ずれを起こし、高周波加熱装置内の電極端子部と電源線に力が加わって接続不良を発生させるのを防ぐ目的で設けられている（例えば、特許文献１参照）。
【０００３】
図４は、従来の高周波加熱装置の電源ケーブルの取り付けを示すものである。図４に示すように、電源ケーブル１は、被加熱物を収納する加熱室２の後面を形成している裏板３の切欠き部４に、電源ケーブルのブッシング部５を挿入して固定されている。ブッシング部５は、筐体後面への出っ張りを少なくするため、筐体内部に形成されていた。
【特許文献１】特開平５−２０５８７０号公報
【発明の開示】
【発明が解決しようとする課題】
【０００４】
しかしながら、前記従来の構成では、筐体内部側の電源線が電源ケーブルの絶縁被覆とブッシングにより覆われるため、放熱がうまくできずに電源線の温度上昇限度を超えてしまうという課題を有していた。
【０００５】
また、この種の高周波加熱装置は被加熱物を加熱するマグネトロンからの高周波の一部が前記電源ケーブルのブッシング部５から引き出されて露出している電源線に乗りやすく、これがコンセントプラグ側にノイズとして流出するという課題も有していた。
【０００６】
本発明は、前記従来の課題を解決するもので、少なくとも電源ケーブルの筐体内部側電源線の温度上昇を低減することを目的とする。
【課題を解決するための手段】
【０００７】
前記従来の課題を解決するために、本発明の高周波加熱装置は、被加熱物を収納する加熱室を備えた筐体と、前記加熱室に収納された被加熱物を加熱する加熱手段と、前記筐体の裏板に設けた切欠き部と、前記切欠き部に係合させた電源ケーブルとを備え、前記電源ケーブルのブッシング部を前記筐体の裏板より外側に形成する構成としたものである。
【０００８】
これによって、高周波加熱中に高温になる筐体内部側の電源線は、ブッシングに覆われていないため放熱作用が妨害される事がなくなり、温度上昇を低減することができる。
【発明の効果】
【０００９】
本発明の高周波加熱装置は、筐体内部側の電源線がブッシングで覆われていないため、筐体内部が高周波加熱中に高温になっても放熱作用が妨害されることなく、電源線の温度上昇を低減することができる。
【発明を実施するための最良の形態】
【００１０】
第１の発明は、被加熱物を収納する加熱室を備えた筐体と、前記加熱室に収納された被加熱物を加熱する加熱手段と、前記筐体の裏板に設けた切欠き部と、前記切欠き部に係合
させた電源ケーブルとを備え、前記電源ケーブルのブッシング部を前記筐体の裏板より外側に形成する構成とすることにより、筐体内部側の電源線がブッシングで覆われていないため、筐体内部が高周波加熱中に高温になっても放熱作用が妨害されることなく、電源線の温度上昇を低減することができる。また、筐体側の配線箇所が電源ケーブルの取り付け付近に配置されていたとしても、ブッシング部がないので電源線の引き回しが自由になり、配線作業が容易になるとともに、配線の長さも短くなるためコストの削減にも寄与することになる。
【００１１】
第２の発明は、被加熱物を収納する加熱室を備えた筐体と、前記加熱室に収納された被加熱物にマイクロ波を供給して加熱する高周波発生手段と、前記筐体の裏板に設けた切欠き部と、前記切欠き部に係合させた電源ケーブルと、前記電源ケーブルから前記高周波加熱手段までの電気経路に設けたノイズフィルターとを備え、前記電源ケーブルのブッシング部を前記筐体の裏板より外側に形成するとともに、前記ノイズフィルターを前記切欠き部の近くに配置して前記電源ケーブルのブッシング部から露出する電源線を前記ノイズフィルターに接続した構成としてあり、上記第１の発明の効果に加えノイズフィルターが切欠き部の近くに配置してあるからこのノイズフィルターに接続する電源ケーブルのブッシュング部から露出する電源線の長さが極めて短いものとなり、この電源線に乗ってコンセントプラグ側に流出するノイズを大幅に低減することができる。
【００１２】
第３の発明は、特に、第１、第２の発明の前記ブッシング部を、加熱室の裏板に設けられた絞り部の高さよりも小さい構成としたことにより、筐体後面への出っ張りは裏板と絞り部との間の空間に収まることとなり高周波加熱装置の設置スペースを大きくすることなく構成することができる。
【００１３】
第４の発明は、特に、第１から第３の発明の前記ブッシング部は、端部に前記加熱室の裏板に設けた切欠き部と係合するスリット部を有し、裏板の切欠き部は前記ブッシング部と係合する突起状のツメ部を有する構成としたとすることにより、突起状のツメ部が電源ケーブルのスリット部と係合することとなり電源ケーブルを確実に固定することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における高周波加熱装置の側面図を示すものである。
【００１６】
図１において、７は被加熱物を収納する加熱室、１２は加熱室７内の被加熱物を加熱する加熱手段で、マグネトロン等の高周波発生手段で構成してある(以下高周波発生手段と称す)。８は前記加熱室１を収容している筐体で、その裏板８aは前記加熱室１の後壁を兼ねており、加熱室絞り部１１が形成してある。９は上記筐体８の裏板部８aの上隅部に設けた切欠き部で、電源ケーブル６が取り付けてある。この電源ケーブル６はブッシング部１０が形成されており、これを切欠き部９に係合させて固定されている。ブッシング部１０は、電源ケーブル６の裏板８と嵌合する部分から外側に位置するよう形成されており、長さは加熱室絞り部１１よりも背丈が低くなるよう構成されている。
【００１７】
電源ケーブル６のブッシュング部１０から露出している電源線１３は、高周波発生手段１２から発生するノイズの伝搬を防止するノイズフィルター１５の端子１４に接続されている。電源ケーブル６の筐体内部側にはブッシング構造がないため、電源線１３は自由に引き回しが可能になり、電源ケーブル６とノイズフィルター１５の位置が近接していても
配線作業を容易におこなうことができる。
【００１８】
図２は、本発明の第１の実施の形態における電源ケーブルのブッシング部拡大図、図３は加熱室裏板の切欠き部の要部斜視図である。
【００１９】
電源ケーブル６は、ブッシング部１０の筐体側端部にスリット部１６を有し、スリット部１６の溝幅は加熱室裏板８の厚みよりも若干大きな寸法に設定され、容易に加熱室裏板８の切欠き部９に挿入できるように構成されている。電源ケーブル６の筐体内部側は、電源線１３の絶縁被覆１７のみが構成されており、ブッシング部１６に比べて外形が小さくなるため、熱の蓄熱が少なく温度の上昇を抑えることができ、屈曲などの柔軟性が高いので、引き回しも容易になる。
【００２０】
加熱室裏板８の切欠き部９は、ブッシング部６よりも大きな寸法の挿入穴部９ａと、スリット部１６と係合する保持部９ｂの２つの穴から構成されている。電源ケーブル６は、挿入穴部９ａから挿入され、ブッシング部１０のスリット部１６を保持部９ｂにスライドさせるように挿入する。保持部９ｂには、高さ寸法がスリット部１６よりも若干高いツメ部９ｃを有しており、電源ケーブル６を保持部９ｂにスライドさせたときにツメ部９ｃがスリット部１６と係合し、ケーブル６が加熱室裏板８から抜けるのを防止している。
【００２１】
本実施例では、ツメ部９ｃを返りのある三角形の切越し形状で構成したが、電源ケーブル６のブッシング部１０は弾力性のある樹脂などで構成されているため、ツメ部を球面などで構成しても接触面で摩擦力を有しているために同様の効果を得ることができる。
【００２２】
以上のように構成された高周波加熱装置について、以下その動作、作用を説明する。
【００２３】
本実施の形態においては、電源ケーブル６のブッシング部１０を筐体１の裏板８ａより外側に形成する構成としたことにより、筐体内部側の電源線１３がブッシングで覆われていないため、筐体内部が高周波加熱中に高温になっても放熱作用が妨害されることなく、電源線１３の温度上昇を低減することができる。また、筐体側の配線箇所が電源ケーブル１３の取り付け付近に配置されていても、ブッシング部がないので電源線１３の引き回しが自由になり、配線作業が容易になるとともに、配線の長さも短くなるためコストの削減にも寄与することができる。加えてノイズフィルター１５を切欠き部９の近くに配置してブッシュング部１０からの電源線１３を接続しているから、この電源線１３は必要最低限の長さとすることができ、加熱手段である高周波発生手段１２が発生する高周波の一部が電源線１３に乗ることを極小にすることができる。よって、この電源ケーブル６を介してノイズがプラグコンセント側に流出するのを大幅に低下させることができる。
【図面の簡単な説明】
【００２４】
【図１】本発明の実施の形態１における高周波加熱装置の側面図
【図２】同実施の形態１における電源ケーブルのブッシング部拡大図
【図３】同実施の形態１における裏板の切欠き部の要部斜視図
【図４】従来の高周波加熱装置の電源ケーブルの取り付けを示す側面図
【符号の説明】
【００２５】
６  電源ケーブル
９  切欠き部  
１０  ブッシング部
１６  スリット部
【図１】
2009109164.tif 000003
【図２】
2009109164.tif 000004
【図３】
2009109164.tif 000005
【図４】
2009109164.tif 000006